(57)【要約】【課題】中高年者の枕選びとしては、加齢につれて首の動きが悪くなるので、それに合わせて、枕はある程度の硬さがあり、頭をのせたとき、すっと落ち着く高さの枕に取り替えることで、高齢者に多い慢性的な睡眠障害が改善される例があります。【解決手段】  この手づくり木製枕は、上向きに湾曲させて、底面の三つの部分が一体化したＭ舟底面で構成している枕です。湾曲した中心の低位載置部に後頭部、左右の高位載置部に側頭部がすっと落ち着く安定する高さや形状の枕です。自然な姿勢で睡眠中の肩、首への負担を軽くして、肩こり解消効果が得られる健康・安眠枕です。【選択図】図３
0003123898.tif 000002
【実用新案登録請求の範囲】
【請求項１】
本枕は中高年者用の手づくり木製枕です。枕の上面は、上向きに湾曲させて寝返りや身体の移動に対応させた枕。
【請求項２】
本枕の底面は、三つの部分が一体化したＭ舟底にして、枕の中心の低位載置部に上向きの後頭部、左右の高位載置部に横向きの側頭部を載せたときの高低差で肩、首のカーブが安定して寝心地がいい高さや形状、硬さを求めた木製枕。
【考案の詳細な説明】
【技術分野】
【０００１】  本考案は、中高年者用の手づくり木製枕です。上向きに湾曲させて、底面は三つの部分が一体化してＭ舟底をした枕です。中心部の低位載置部に後頭部、左右の高位載置部に側頭部を載せたとき高低差で肩、首のカーブが安定する高さや形状、硬さがあり、寝心地がいいと感じて、熟睡感、肩こり解消効果が得られる。健康・安眠枕に関するものである。
【背景の技術】
【０００２】  従来の枕は、布製の平面状のまくらと半円アーチ状のまくらを組み合わせて、中心部を低く周辺部を高くした構造で、上向きや横向きの身体の移動に対応させる介護枕、上向きに湾曲させたマクラを底板軸の支柱に接合して強制的に横向きにさせて、いびきを抑制する強制枕及び枕の中心を低位載置部で頭部、左右の高位載置部が顔側面を載置した時の首骨と背骨のズレを無くした枕ですが、底面は平坦にした構造をしているものである。
【特許文献１】  特開２００２−２９１５９９号  公報
【特許文献２】  特開２００４−１０５２８８号  公報
【特許文献３】  実願２０００−５１７６号  公報
【考案の開示】
【考案が解決しようとする課題】
【０００３】  本考案は、中高年者に多い慢性的な睡眠障害（寝つきや寝起きが悪い、熟睡感がない、夜中に何度も目が覚めるなど）も、枕を替えることで改善される例がみられます。
枕高は非常に個人差のあるもので、合わない枕が起こす不快症状に、首筋の痛み、肩こり、手のしびれ、いびきなどがあります。これらの症状は、睡眠中の寝返りや身体の移動に対応できない不安定な枕から起こる症状があります。中高年者は加齢につれて首の動きが悪くなっていくので、それに合わせて、枕はある程度の硬さがあって、頭を載せたとき、すっと落ち着く高さで安定した寝心地のいい、熟睡感が得られる中高年者用の枕ができないか。
【考案が解決するための手段】
【０００４】  本考案の木製枕は、上面を上向きに湾曲させて、底面は三つの部分が一体化したＭ舟底にして三つの底面をした枕の中心は低位載置部で８センチ、左右の高位載置部１０センチ、奥行き幅１０センチ及び左右の長さ２５センチを基準にして、許容幅各２センチの枕を製作をいたします。しかし、枕は男女差、個人差があり、実際に使っている人が快適と感じた枕に調整して差し上げることが最大の手段です。
【０００５】  安眠の条件「枕の人間工学、花岡利昌著」は、快適と感じる枕高について、大部分が６から１０センチの間にあり、８センチが最も多く５センチ以下・１３センチ以上はみられなかった。また男女間に分布上著しい差はなかった。許容幅は２センチ以下をしめており、高さについては案外敏感であると実態調査資料がありました。本考案者としては、資料は大変参考になります。
【考案の効果】
【０００６】  本考案の試作枕を体験した方々は、一応に寝心地がいいので熟睡できた。また、横向きに寝たとき左右の高位載置部が肩への負担を軽くして、肩こりの症状が良くなったと体験報告があります。本考案の木製枕に替えた効果が得られた例です。
【考案を実施するための最良の形態】
【０００７】  本考案の手づくり健康・安眠枕を図面に基づいて説明すと、（図３）上向きに寝ているときの枕本体の斜視図、後頭部が低位載置で安定して安眠性能を高める。（図４）横きに寝ているときの枕本体の斜視図、右側頭部が高位載置の高さで肩への負担を軽くしている。（図５）枕が少し硬いと感じた場合は、吸湿性、放湿性にすぐれた綿素材のタオルをかけると、高さや硬さの調節が比較的かんたんにできます。
【実施例】
【０００８】  本考案の木製枕は、上向きに湾曲させて、底面は三つの部分が一体化したＭ舟底枕です。枕は中心部が８センチの後頭部、左右が１０センチの側頭部の低高差は、寝返ったときの肩、首のカーブの負担を軽くしています。奥行き幅１０センチ、左右の長さ２５センチ、許容幅各２センチの枕製作で対応します。本健康・安眠枕は、すっと落ち着く安定する高さや形状です、睡眠中の頭の動きに枕がついてくる感じで自然な姿勢で熟睡できます。
【図面の簡単な説明】
【０００９】
【図１】  枕本体の断面図
【図２】  枕本体の右側断面図
【図３】  枕本体の斜視図
【図４】  枕本体の斜視図（右横向きに寝た枕の状態）
【図５】  枕本体の斜視図にタオルをかけた状態
【符号の説明】
【００１０】１  木製枕本体
２  枕本体の低い中心位置の底面（後頭部を載せる位置）
３  枕本体の高い左右位置の底面（側頭部を載せる位置）
４  タオル
【図１】
0003123898.tif 000003
【図２】
0003123898.tif 000004
【図３】
0003123898.tif 000005
【図４】
0003123898.tif 000006
【図５】
0003123898.tif 000007
【手続補正書】
【提出日】平成18年4月28日(2006.4.28)
【手続補正１】
【補正対象書類名】実用新案登録請求の範囲
【補正対象項目名】全文
【補正方法】変更
【補正の内容】
【実用新案登録請求の範囲】
【請求項１】
本枕は上向きに湾曲したＭ舟底型の中心部と左右両側部の底辺が各々平面になった特徴からなる木製枕。
【手続補正２】
【補正対象書類名】明細書
【補正対象項目名】全文
【補正方法】変更
【補正の内容】
【考案の詳細な説明】
【技術分野】
【０００１】  本考案は手づくりの木製枕で上向きに湾曲したＭ舟底型の中心部と左右両側部の底辺を各々平面にして、寝返った時の頭の動きに枕がローリングしてついてくる感じの安定した形状の特徴からなる木製枕に関するものです。
【背景技術】
【０００２】  従来の枕は、布製の平面状のまくらと半円アーチ状のまくらを組み合わせて、中心部を低く周辺部を高くした構成の介護まくら（特許文献１参照）。また、上向きに湾曲したマクラを底板の支柱に接合して強制的に左右横向きにさせる、いびきを抑制させるマクラ（特許文献２参照）。それに、枕の低位載置部と高位載置部とを形成して、首骨と脊骨のズレを無くした枕ですが、枕全体が平面状の底をした構造（特許文献３参照）。などしている。
【特許文献１】  特開２００２−２９１５９９号    公報
【特許文献２】  特開２００４−１０５２８８号    公報
【特許文献３】  実願２０００−５１７６号    公報
【考案の開示】
【考案が解決しようとする課題】
【０００３】  本考案は、中高年者に多い睡眠障害で寝つきが悪い、夜中に目が覚めて熟睡できない、首筋が痛い、肩が凝るなどは、加齢につれて首の動きが悪くなって起こる症状があります。それに合わせて、枕はある程度の硬さがあって、頭を載せた時に安定して落ち着く高さで寝心地の良い熟睡感がえられる枕ができないか。
【考案が解決するための手段】
【０００４】  本考案は、上向きに湾曲したＭ舟底型の中心部と左右両側部の底辺を各々平面にして、中心部に仰向けの後頭、左右両側部に横向きの側頭を載置して安定する木製枕です。枕高８センチ、奥行き幅１０センチ及び左右の長さ２５センチを基準に、許容幅２センチ以内で製作していますが。しかし、使っている枕高には男女差、個人差があり、実際に使って快適と感じていただける枕高の調整にも応じています。
【０００５】  安眠枕の条件「枕の人間工学、花岡利昌著」に、快適と感じる枕高について、大部分が６センチから１０センチの間にあり、８センチが最も多く５センチ以下、１３センチ以上はみられなかった。また男女間に分布上著しい差はない。許容幅は２センチ以下をしめており、高さについては案外敏感である。その実態調査資料は、参考になりました。
【考案の効果】
【０００６】  本考案の枕を体験した方々は、寝返った時の頭の動きに枕もついてくる感じで朝までズレ落ちることもなく、途中で目覚めることもなかった。快適な熟睡です。また、肩凝りにも良いと報告された方もありました。枕を替えて改善された例が多くみられます。
【考案を実施するための最良の形態】
【０００７】  本考案の木製枕の図面に基づいて説明すると、（図１）中心部に仰向けの後頭を載置している時の正面図、（図４）左側部に横向きの側頭を載置している時の左傾正面図です。中心部、左右両側部の底辺が各々平面になっているので載置して安定します。
【実施例】
【０００８】  本考案の木製枕を使って硬いと感じた場合は、吸湿性、放湿性にすぐれた綿素材の洗顔タオルを状況によって、２枚か４枚に折り重ねて枕に載せてください、高さや硬さの調節が比較的簡単にできます。
【図面の簡単な説明】
【０００９】
【図１】  本木製枕の中心部に後頭を載置した時の正面図
【図２】  本木製枕の上からの平面図
【図３】  本木製枕の横側からの側面図
【図４】  本木製枕の左側部に左頭を載置した時の左傾図
【符号の説明】
【００１０】  １      木製枕本体
２      枕のＭ舟底型の平面部（２−ａ中心部、２−ｂ左右両側部の底辺）
３      枕高（ｈ中心部、Ｈ左右両側部の高さ）
４      枕の奥行きの幅
５      枕の左右の長さ
【手続補正３】
【補正対象書類名】図面
【補正対象項目名】全図
【補正方法】変更
【補正の内容】
【図１】
0003123898.tif 000008
【図２】
0003123898.tif 000009
【図３】
0003123898.tif 000010
【図４】
0003123898.tif 000011